(57)【特許請求の範囲】
【請求項１】
機器本体の側面に形成された開口の左右いずれか一方の側縁には、この開口を開閉する扉が揺動可能に軸支されたものにおいて、
前記扉の裏面の上縁が、内側にリブが形成された二重壁となっており、前記開口の上縁には、前記扉の前記リブを受ける庇が突設されているとともに、
前記庇における扉の支持端側の端部と、この端部と対応する扉の上縁のリブとの間には、扉の閉鎖時にその上縁の前記リブを前記庇の上面に案内するガイドが設けられていることを特徴とする機器の扉装置。
【請求項２】
前記ガイドが、前記庇における扉の支持端側の端部の角を斜め下方に折曲することによって形成されていることを特徴とする請求項１記載の機器の扉装置。
【発明の詳細な説明】
【０００１】
【発明の属する技術分野】
本発明は、機器の扉装置に関するものである。
【０００２】
【従来の技術】
例えば給茶機は、前面開口の箱形をなして貯湯タンクや給茶機構部を収容した給茶機本体を備える一方、給茶口や各種操作部を設けた扉が、開口の右側縁にヒンジを介して揺動開閉可能に支持された構造となっている。
【０００３】
【発明が解決しようとする課題】
ここで、上記のように比較的重量の大きい扉が左右一方の側縁を中心として揺動可能に支持されていると、扉の自重によって揺動端側が下がるように傾くおそれがあり、閉扉した場合に見栄えが悪いという問題がある。また、開口と扉との対向した周縁にリードスイッチとマグネットとを配し、扉の開閉を検知する手段を講じたものも知られているが、係る検知手段を備えたもので扉が傾くと、誤検知に繋がるおそれがあった。
本発明は上記のような事情に基づいて完成されたものであって、その目的は、扉が傾いて閉じられることを防止するところにある。
【０００４】
【課題を解決するための手段】
上記の目的を達成するための手段として、請求項１の発明に係る機器の扉装置は、機器本体の側面に形成された開口の左右いずれか一方の側縁には、この開口を開閉する扉が揺動可能に軸支されたものにおいて、前記扉の裏面の上縁が、内側にリブが形成された二重壁となっており、前記開口の上縁には、前記扉の前記リブを受ける庇が突設されているとともに、前記庇における扉の支持端側の端部と、この端部と対応する扉の上縁のリブとの間には、扉の閉鎖時にその上縁の前記リブを前記庇の上面に案内するガイドが設けられている構成としたところに特徴を有する。
請求項２の発明は、請求項１に記載のものにおいて、前記ガイドが、前記庇における扉の支持端側の端部の角を斜め下方に折曲することによって形成されているところに特徴を有する。
【０００５】
【発明の作用及び効果】
＜請求項１の発明＞
扉を閉じると、その裏側の上縁が庇で受けられることにより正立姿勢に保持される。扉が閉じられた場合に機器本体と扉との外形ラインが揃い、外観の見栄えがよい。また、開口と扉との対向部分にスイッチ等が配された場合、正確に作動させることができる。
また、扉が傾いたり、組み付けの誤差があって扉が下がっていると、扉を閉じた際にその裏側の上縁が庇と干渉して、閉扉動作がスムーズにできない場合があり得る。その点この発明では、扉が下がっていたとしても、閉扉動作の初めの段階で、ガイドによって裏側の上縁が庇の上に導かれつつスムーズに閉じられ、閉じられた後は正立姿勢に保持される。
＜請求項２の発明＞
庇の角を折曲するだけで簡単にガイドが形成される。
【０００６】
【発明の実施の形態】
以下、本発明の実施形態を添付図面に基づいて説明する。
＜第１実施形態＞
図１ないし図５は本発明の第１実施形態を示し、機器としては給茶機を例示している。
この実施形態の給茶機は、図１ないし図３に示すように、給茶機本体１０の前面に扉２０を設けた構造となっている。給茶機本体１０は、前面が開口されるとともに、天面に天板１２が被着されたやや縦長の箱形に形成され、底面の四隅に設けられた脚１３で支持されている。この給茶機本体１０内には、図示はしないが、貯湯タンクや給茶機構部が収容されている。
【０００７】
給茶機本体１０内の前面側の下方位置には給茶ステージ２１が設けられているとともに、前面開口１１には扉２０が装着されており、給茶ステージ２１は扉２０を貫通して前方に開放されている。扉２０は、後面に開口した浅い箱形に形成され、正面から見た右側縁の上下２箇所で、前面開口１１の右側縁の対応位置とヒンジ２４を介して連結されることにより、揺動開閉可能に支持されている。扉２０は、天板１２を含む給茶機本体１０の前面のほぼ全面にわたって閉鎖されるようになっており、正面の上方位置には各種操作スイッチ２２等が装備されている。
【０００８】
さて、給茶機本体１０における前面開口１１の上縁からは、庇３０が突設されている。詳細には、上記した天板１２は、方形の浅皿を上下反転させたような形状とされており、図４及び図５に示すように、この天板１２の前面の下縁を前方に直角曲げすることで庇３０が形成されている。
この庇３０は、前面開口１１のほぼ全幅にわたる横幅寸法と、扉２０の厚みのほぼ半分の突出寸法とを有しており、また両端は斜めに切除されている。
【０００９】
一方、扉２０の上縁側には、二重壁をなすようにリブ３３が形成されている。そして、扉２０が閉鎖された場合には、リブ３３が庇３０の直ぐ上面に進入する設定となっている。
また、上記した庇３０における扉２０の支持端側の端部では、その角の部分が斜め下方に所定角度折り曲げられ、これによってガイド部３１が形成されている。
【００１０】
続いて、本実施形態の作用を説明する。
扉２０が自重によって揺動端が下がるように傾いたり、組み付けの誤差があって扉２０が下がっていると、扉２０のリブ３３の下面３３Ａが、図５に示すように、庇３０の上面３０Ａよりも下方に来て、扉２０を閉めた場合にリブ３３が庇３０にぶつかって扉２０を閉められないことがあり得る。
しかしこの実施形態では、扉２０が下がっていたとしても、閉扉動作の初めの段階で、リブ３３の支持端側の部分が庇３０に設けられたガイド部３１に当たり、リブ３３がガイド部３１に沿って庇３０の上面３０Ａに導かれつつスムーズに閉じられる。扉２０が閉じられた後は、リブ３３が庇３０で受けられることにより正立姿勢に保持される。
【００１１】
このため、閉扉状態で給茶機本体１０と扉２０との外形ラインが揃い、外観の見栄えがよい。また、前面開口１１と扉２０との対向した周縁にリードスイッチとマグネットとを配して、扉２０の開閉を検知する扉スイッチを設けた場合、リードスイッチとマグネットとを常に正対させることができて、正確に作動させることができる。
【００１２】
＜第２実施形態＞
図６及び図７は本発明の第２実施形態を示す。図６に示すように、天板１２の前端部分が、ヒンジ４０を介して開閉可能な可動部４１となっているものでは、この可動部４１の前面に、第１実施形態に示したと同様の庇３０を設けることによって、さらに次のような利点が得られる。
図７に示すように、扉２０を閉めると、庇３０がリブ３３で係止された状態となり、例えば扉２０に施錠すれば、可動部４１も施錠された状態となって、開放不能にできる。
また、庇３０は可動部４１における手掛け部として利用でき、可動部４１の開閉動作を楽に行うことができる。
【００１３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）庇の角を斜め下方に折曲することでガイドを形成することに代え、庇の角と対応するリブの部分を斜め上方に折曲してガイドを形成するようにしてもよい。
（２）本発明は上記実施形態に例示した給茶機に限らず、機器本体の側面に形成された開口の左右いずれか一方の側縁に扉を揺動可能に軸支した扉装置全般に広く適用することができる。
【図面の簡単な説明】
【図１】本発明の第１実施形態に係る給茶機の正面図
【図２】その側面図
【図３】その開扉状態の平面図
【図４】扉の受け部分の構造を示す斜視図
【図５】その一部切欠側面図
【図６】第２実施形態に係る給茶機本体の部分側面図
【図７】その閉扉状態の一部切欠側面図
【符号の説明】
１０…給茶機本体
１１…前面開口
１２…天板
２０…扉
２４…ヒンジ
３０…庇
３０Ａ…（庇３０の）上面
３１…ガイド部
３３…リブ
３３Ａ…（リブ３３の下面）
【図１】
0003561457.tif 000002
【図２】
0003561457.tif 000003
【図３】
0003561457.tif 000004
【図４】
0003561457.tif 000005
【図５】
0003561457.tif 000006
【図６】
0003561457.tif 000007
【図７】
0003561457.tif 000008